(57)【要約】【課題】  金種毎の枚数と金額とを簡易な操作で効率良く入力し且つ確認し得る。【解決手段】  現金処理装置は、データ入力部，表示部およびコントローラを備える。表示部は、金種毎の枚数を表示する枚数表示領域（２１）と金種毎の金額を表示する金額表示領域（２３）とを単一画面（２０）に有している。コントローラは、データ入力部を経て供給された金種の枚数に相当する金額を算出しこれを前記金額表示領域（２３）に表示させ、データ入力部を経て供給された金額に相当する金種の枚数を算出しこれを前記枚数表示領域（２１）に表示させる機能を有する。【選択図】    図３
2005250908.tif 000002
【特許請求の範囲】
【請求項１】
現金処理装置であって、
データ入力部と、
金種毎の枚数を表示する枚数表示領域と金種毎の金額を表示する金額表示領域とを単一画面に有する表示部と、
前記データ入力部を経て供給された金種の枚数に相当する金額を算出しこれを前記金額表示領域に表示させ、前記データ入力部を経て供給された金額に相当する金種の枚数を算出しこれを前記枚数表示領域に表示させるコントローラと、
を備えることを特徴とする現金処理装置。
【請求項２】
請求項１記載の現金処理装置であって、前記コントローラは、前記データ入力部より前記金額が供給されたときに、供給された前記金額と算出された前記金種の枚数に相当する金額との間に差額があるときはエラーメッセージを前記表示部に表示させることを特徴とする現金処理装置。
【請求項３】
請求項１記載の現金処理装置であって、前記コントローラは、前記データ入力部より前記金額が供給されたときは、さらに、供給された前記金額と算出された前記金種の枚数に相当する金額との間の差額を算出し、前記差額を切り捨てた金額を前記金額表示領域に表示させることを特徴とする現金処理装置。
【請求項４】
請求項１記載の現金処理装置であって、前記コントローラは、前記データ入力部より前記金額が供給されたときは、さらに、供給された前記金額と算出された前記金種の枚数に相当する金額との間の差額を算出し、前記金種よりも下位の金種を選択し、前記差額に相当する前記下位の金種の枚数を算出しこれを前記枚数表示領域に表示させることを特徴とする現金処理装置。
【請求項５】
請求項１記載の現金処理装置であって、前記コントローラは、前記データ入力部より前記金額が供給されたときは、さらに、供給された前記金額と算出された前記金種の枚数に相当する金額との間の差額を算出し、前記金種よりも下位の金種を選択し、前記差額に相当する前記下位の金種の枚数を算出してこれを前記枚数表示領域に表示されている枚数に加算し、その加算枚数を前記枚数表示領域に表示させることを特徴とする現金処理装置。
【請求項６】
請求項４または請求項５記載の現金処理装置であって、前記コントローラは、前記枚数表示領域に表示された前記金種の枚数に相当する金額を算出しこれを前記金額表示領域に表示させることを特徴とする現金処理装置。
【請求項７】
請求項１から請求項６のうちのいずれか１項に記載の現金処理装置であって、前記コントローラは、前記金額表示領域に表示された金額の合計額を算出しこれを前記表示部に表示させることを特徴とする現金処理装置。
【発明の詳細な説明】
【技術分野】
【０００１】
本発明は、主に金融機関において紙幣または硬貨の入出金処理などに使用される現金処理装置に関する。
【背景技術】
【０００２】
銀行などの金融機関では、紙幣または硬貨の入出金処理や両替処理などを行う現金処理装置が使用されている。図１に、その種の現金処理装置の表示画面１００の一例を概略的に示す。図１（Ａ）または（Ｂ）に示される表示画面１００Ａ，１００Ｂはタッチパネル式の操作端末であり、図１（Ａ）は金額指定用の表示画面１００Ａを、同図（Ｂ）は枚数指定用の表示画面１００Ｂをそれぞれ示している。
【０００３】
図１（Ａ）に示される金額指定用の表示画面１００Ａは、「万円」，「五千円」，「二千円」，「千円」，「５００円」，「１００円」，「５０円」，「１０円」，「５円」および「１円」といった金種毎に金額を表示する金額入力部１０２，１０２，…，１０２と、切換ボタン１０１とを備えている。ユーザーは、キー入力装置（図示せず）を操作することで所望の金種を選択し、選択した金種の金額入力部１０２に所望の金額を入力することができる。また、入力された金額の合計額が合計額表示部１０３に表示される。
【０００４】
金額指定用の表示画面１００Ａにおいて、ユーザーが切換ボタン１０１を押下すると、表示画面１００Ａは、図１（Ｂ）に示される枚数指定用の表示画面１００Ｂに変化する。この表示画面１００Ｂは、「万円」，「五千円」，「二千円」，「千円」，「５００円」，「１００円」，「５０円」，「１０円」，「５円」および「１円」といった金種に応じた枚数を表示する枚数入力部１０４，１０４，…，１０４を備えている。また、図１（Ａ）の表示画面１００Ａで入力された金額に相当する金種の枚数が算出され、枚数入力部１０４，…に表示される。図示した例では、図１（Ａ）に示される「万円」紙幣用の金額入力部１０２には「５００，０００円」が入力されており、この「５００，０００円」に相当する「５０枚」が、図１（Ｂ）に示される「万円」紙幣用の枚数入力部１０４に表示されている。逆に、ユーザーは、図１（Ｂ）に示される枚数入力部１０４，１０４，…に所望の枚数を入力した後、切換ボタン１０１を押下し、表示画面１００Ｂを図１（Ａ）に示される表示画面１００Ａに切り換えることで、入力枚数に相当する金額を表示させることもできる。
【０００５】
以上の機能は、特許文献１（特開２００２−８３３３５号公報）に記載される如き現金処理装置に組み込まれていた。
【特許文献１】特開２００２−８３３３５号公報
【発明の開示】
【発明が解決しようとする課題】
【０００６】
しかしながら、上述の機能では、入力枚数に相当する金額、あるいは入力金額に相当する枚数を確認するには、表示画面１００Ａ，１００Ｂの一方から他方へ切り換える作業が必要となり、かかる確認作業は、手間と時間を要する非効率なものであった。
【０００７】
上記に鑑みて本発明の主な目的は、金種に応じた枚数と金額とを簡易な操作で効率良く入力し且つ確認し得る現金処理装置を提供する点にある。
【課題を解決するための手段】
【０００８】
上記目的を達成すべく、本発明に係る現金処理装置は、データ入力部と、金種毎の枚数を表示する枚数表示領域と金種毎の金額を表示する金額表示領域とを単一画面に有する表示部と、前記データ入力部を経て供給された金種の枚数に相当する金額を算出しこれを前記金額表示領域に表示させ、前記データ入力部を経て供給された金額に相当する金種の枚数を算出しこれを前記枚数表示領域に表示させるコントローラと、を備えることを特徴としている。
【発明を実施するための最良の形態】
【０００９】
図２は、本発明に係る一実施例の現金処理装置１の構成を概略的に示すブロック図である。この現金処理装置１は、タッチパネル式の表示部１１，キー入力部（データ入力部）１０，硬貨処理部１２，紙幣処理部１３，カードリーダー１４，記録部（データベース）１５およびコントローラ１６を備えている。コントローラ１６は、キー入力部１０，表示部１１，硬貨処理部１２，紙幣処理部１３および記憶部１５を制御する処理ブロックである。コントローラ１６は、起動プログラム，制御プログラムおよび各種の設定情報を格納するＲＯＭと、起動プログラムおよび制御プログラムを実行するマイクロプロセッサと、ＲＡＭと、入出力インターフェースとを備えている。
【００１０】
表示部１１は、タッチパネル式のＬＣＤ（液晶表示装置）を備えている。カードリーダー１４は、ユーザーの識別情報（ＩＤ）を格納したＩＤカードから当該識別情報を読み取りこれをコントローラ１６に出力するインターフェース回路である。ユーザーは現金処理装置１を使用しようとする際、自己のＩＤカードをカードリーダー１４に装着する。コントローラ１６は、カードリーダー１４で読み取った識別情報と記憶情報とを照合し、両者が一致した場合にのみ現金処理装置１の使用を許可する一方、両者が一致しない場合は、現金処理装置１の使用を許可しない旨を表示部１１に表示させる。
【００１１】
現金処理装置１が起動した後、コントローラ１６は、表示部１１にメニュー画面（図示せず）を表示させる。ユーザーは、カードリーダー１４に自己のＩＤカードを挿入し認証を受けた後に、メニュー画面に応じてキー入力部１０を操作することによって、図３に示される表示画面２０を表示部１１に表示させる。
【００１２】
図３に示す表示画面２０は、各金種に応じた枚数を表示する枚数表示領域２１と、各金種に応じた金額を表示する金額表示領域２３と、金額表示領域２３に表示されている金額の合計額を表示する合計額表示部２５と、伝票金額表示部２６と、不足額表示部２７とを備えている。伝票金額表示部２６は、伝票に記載された金額を入力する表示領域であり、不足額表示部２７は、伝票金額表示部２６に表示されている金額と、合計額表示部２５に表示されている合計額との間の差額を表示する領域である。枚数表示領域２１は、「万円」，「五千円」，「二千円」，「千円」，「５００円」，「１００円」，「５０円」，「１０円」，「５円」および「１円」といった金種にそれぞれ対応する複数の枚数入力部２２1，２２2，…，２２10を備えており、金額表示領域２３は、前記金種にそれぞれ対応する複数の金額入力部２４1，２４2，…，２４10を備えている。枚数入力部２２1，２２2，…，２２10は、それぞれ、金額入力部２４1，２４2，…，２４10と一対一に対応している。枚数表示領域２１，金額表示領域２３および合計額表示部２５の表示内容は、この表示内容の生成とともに記憶部１５に記憶される。
【００１３】
枚数入力部２２1〜２２10および金額入力部２４1〜２４10に数値を入力しようとするとき、ユーザーが入力部２２1〜２２10，２４1〜２４10のいずれかを一度押下すると、当該入力部へのデータ入力が可能となる。このとき、ユーザーは、キーボードからなるキー入力部１０（図２）を操作することで任意の数値を入力し、所定キーを押下することで入力値を確定することができる。入力部が入力可能な状態に変化したとき、その背景を着色してもよいし、あるいは各画素毎に高輝度表示を低輝度表示に且つ低輝度表示を高輝度表示に変えることで輝度を反転させてもよい。
【００１４】
硬貨処理部１２は、コントローラ１６の指示により、図３の枚数表示領域２１に表示される枚数の金種の硬貨を計数して出力する機能を有し、紙幣処理部１３は、コントローラ１６の指示により、図３の枚数表示領域２１に表示される枚数の金種の紙幣を計数して出力する機能を有している。ユーザーがキー入力部１０に設けた確定ボタン（図示せず）を押下することで、硬貨処理部１２および紙幣処理部１３から指定枚数の現金を出力することができる。
【００１５】
以上の構成を有する現金処理装置１のコントローラ１６による表示処理を、図４〜図９を参照しつつ以下に詳説する。図４は、コントローラ１６による処理手順を概略的に示すフローチャートである。
【００１６】
図４を参照すると、まず、ステップＳ１で、コントローラ１６は、図５（Ａ）に示される枚数入力部２２1〜２２10と金額入力部２４1〜２４10とのいずれかにキー入力が有ったか否かを判定し、キー入力有りと判定する迄待機している。図５（Ａ）に例示されるように、ユーザーが「５００円」硬貨用の枚数入力部２２5を押下し、この枚数入力部２２5に「５５」と入力し確定したときに、コントローラ１６は、キー入力有りと判定してステップＳ２以後の処理を実行する。
【００１７】
ステップＳ２において、コントローラ１６は、前記ステップＳ１での入力値が、枚数入力部２２1〜２２10および金額入力部２４1〜２４10のうちいずれの入力部に入力されたかを判定し、前記入力値が枚数入力部２２K（Ｋは１〜１０の整数）に入力されたと判定した場合は、入力値である枚数Ｎｍに相当する金額Ａｍを算出する（ステップＳ３）。枚数入力部２２Kの金種の単位額をＵｃとした場合、金額Ａｍは、Ａｍ＝Ｎｍ×Ｕｃの式に基づいて算出できる。図５（Ａ）の例では、入力値Ｎｍは５５枚，金種の単位額Ｕｃは５００円，金額Ａｍは２７，５００円（＝５５×５００円）である。
【００１８】
続けて、前記ステップＳ２で算出された金額Ａｍが、枚数入力部２２Kと対応する金額入力部２４Kに表示される（ステップＳ４）。この処理により、図５（Ａ）に示した入力値「５５」枚に対しては、図５（Ｂ）に示されるように、「５００円」硬貨用の金額入力部２４5に「２７，５００」円が表示されることとなる。さらに、コントローラ１６は、金額入力部２４1〜２４10に表示されている金額の合計額を算出し（ステップＳ５）、これを合計額表示部２５に表示する（ステップＳ６）。図５（Ｂ）の例では、合計額６３３，９９７円が新たに算出され、以前の合計額６０６，４９７円（図５（Ａ））を更新している。
【００１９】
次に、コントローラ１６は、以上の処理を終了するか否かを判定する（ステップＳ７）。ここで、コントローラ１６は、ユーザーによる終了指示などを受けた場合は以上の処理を終了し、それ以外の場合は上記ステップＳ１以後の処理を繰り返し実行する。
【００２０】
上記ステップＳ２において、前記ステップＳ１の入力値が、金額入力部２４L（Ｌは１〜１０の整数）に入力されたと判定された場合は、入力値である金額Ａｍに相当する金種の枚数Ｎｍが算出される（ステップＳ８）。具体的には、記号［ｘ］を入力変数ｘを超えない最大の整数を出力する関数としたとき、枚数Ｎｍは、Ｎｍ＝［Ａｍ×Ｕｃ］の式に基づいて算出できる。図６（Ａ）に例示されるように金額入力部２４5に「２７，５００」円が入力された場合、５００円硬貨の枚数Ｎｍは５５（＝［２７，５００円／５００円］＝［５５］＝５５）である。
【００２１】
続けて、前記ステップＳ８で算出された枚数Ｎｍが、金額入力部２４Lに対応する枚数入力部２２Lに表示される（ステップＳ９）。この処理により、図６（Ａ）に示した入力値「２７，５００」円に対しては、図６（Ｂ）に例示されるように「５００円」硬貨用の枚数入力部２２5に枚数「５５」が表示されることとなる。続くステップＳ１０では、コントローラ１６は、前記ステップＳ１で金額入力部２４Lに入力された金額Ａｍと、前記ステップＳ８で算出された枚数Ｎｍに相当する金額Ｎｍ×Ｕｃとの間の差額Ｓｍ（＝Ａｍ−Ｎｍ×Ｕｃ）を算出する。さらに、この差額Ｓｍがゼロであるか否かが判定される（ステップＳ１１）。ここで差額Ｓｍがゼロであると判定された場合、ステップＳ５に処理が移行し、上述の通り、金額入力部２４1〜２４10に表示されている金額の合計額が算出され、合計額表示部２５に表示される（ステップＳ６）。
【００２２】
一方、前記ステップＳ１１において差額Ｓｍがゼロで無いと判定した場合、コントローラ１６は、ステップＳ１２で動作モードを判定した後に、動作モードに応じた処理を実行する。本実施例では、"Ａ"，"Ｂ"，"Ｃ"の３種類の動作モードが設けられており、ユーザーは、"Ａ"，"Ｂ"，"Ｃ"の中から任意の動作モードを設定することができる。ステップＳ１２で動作モードを"Ａ"と判定した場合、コントローラ１６は、表示部１１にエラーメッセージを表示させ（ステップＳ１３）、その後、ステップＳ１に処理を戻す。図７（Ａ）に例示されるように金額入力部２４5に「２７，６００」円が入力された場合は、上記ステップＳ１０で算出される差額Ｓｍは１００円（＝２７，６００円−５５×５００円）である。かかる場合、図７（Ｂ）に示すように、表示部１１は、エラーメッセージを含むエラーウインドウ３０を表示する（ステップＳ１３）。ユーザーがエラーウインドウ３０に設けられた確認ボタン３０Ａを押下すると、コントローラ１６はその押下を検出しステップＳ１から処理を再開する。以上の動作モード"Ａ"の処理により、ユーザーは、入力値の誤りを確実に通知されるため、正確な入力操作を行うことが可能となる。
【００２３】
一方、上記ステップＳ１２で動作モードを"Ｂ"と判定した場合、コントローラ１６は、差額Ｓｍを切り捨てた金額を金額入力部２４Lに表示させ（ステップＳ１４）、その後、ステップＳ５以後の処理を実行する。図８（Ａ）に例示されるように金額入力部２４5に「２７，６００」円が入力された場合は、上記ステップＳ１０で算出される差額Ｓｍは１００円（＝２７，６００円−５５×５００円）である。かかる場合、図８（Ｂ）に示すように金額入力部２４5には、差額１００円を切り捨てた「２７，５００」円が表示される。以上の動作モード"Ｂ"の処理により、ユーザーは、差額を気にせずに、各金種毎に紙幣または貨幣の金額を素早く入力することが可能となる。
【００２４】
他方、上記ステップＳ１２で動作モードを"Ｃ"と判定した場合、コントローラ１６は、金額入力部２４Lの金種よりも１つ下位の金種を選択し（ステップＳ１５）、上記ステップＳ８と同様にして、差額Ｓｍに相当する前記下位の金種の枚数Ｎｍ’を算出する（ステップＳ１６）。本実施例では、単位額Ｕｃが大きいほどに金種のランクは上位になり、単位額Ｕｃが小さいほどに金種のランクは下位になる。たとえば、「二千円」は、「千円」と比べて１つ上位の金種である同時に、「万円」と比べると２つ下位の金種である。図９（Ａ）に例示されるように金額入力部２４5に「２７，６００」円が入力された場合は、上記ステップＳ１０で算出される差額Ｓｍは１００円である。かかる場合、図９（Ｂ）に示すように、「５００円」の金種の１つ下位の「１００円」が選択され（ステップＳ１５）、この下位の金種の枚数Ｎｍ’（＝１＝［１００円／１００円］）が算出される（ステップＳ１６）。
【００２５】
次に、コントローラ１６は、前記ステップＳ１６で算出された枚数Ｎｍ’を枚数入力部２２L+1の枚数に加算し、その加算枚数を枚数入力部２２L+1に表示するとともに、前記加算枚数に相当する金額（＝加算枚数×Ｕｃ）を算出しこれを金額入力部２４L+1に表示する（ステップＳ１７）。この処理により、図９（Ｂ）の例では、枚数入力部２２6には加算枚数「１３」が表示され、金額入力部２４5には金額「１，３００」円が表示される。
【００２６】
続くステップＳ１８で、コントローラ１６は、差額Ｓｍと、前記ステップＳ１６で算出された枚数Ｎｍ’に相当する金額Ｎｍ’×Ｕｃとの間の差額Ｓｍ’（＝Ｓｍ−Ｎｍ’×Ｕｃ）を算出する（ステップＳ１８）。さらに、この差額Ｓｍ’がゼロであるか否かが判定される（ステップＳ１９）。ここで差額Ｓｍ’がゼロであると判定された場合は、ステップＳ５以後に処理が移行する。他方、前記ステップＳ１９において、差額Ｓｍ’がゼロで無いと判定した場合、コントローラ１６は、差額Ｓｍを差額Ｓｍ’に置き換えて（ステップＳ２０）、上記ステップＳ１５〜Ｓ１９を繰り返し実行する。以上の動作モード"Ｃ"の処理により、１度の入力金額で複数の金種の枚数を算出することができ、金種の枚数とこれに対応する金額とを極めて効率良く入力することができる。
【００２７】
次に、図１０および図１１を参照しつつ、上記現金処理装置１を用いたデータ入力例を説明する。図１０（Ａ）に示されるように、まず、ユーザーは、伝票金額表示部２６に伝票に記載されている金額「１，０００，０００」円を入力する。次に、ユーザーが表示画面２０の「二千円」紙幣用の枚数入力部２２3に枚数「２００」を入力すると、金額入力部２４3に２００枚の二千円紙幣に相当する金額「４００，０００」円が表示され、続けて、ユーザーが「千円」紙幣用の枚数入力部２２4に枚数「２００」を入力すると、図１０（Ｂ）に示されるように金額入力部２４4に２００枚の千円紙幣に相当する金額「２００，０００」円が表示される。
【００２８】
図１０（Ｂ）に示されるように、ユーザーが表示画面２０の「５００円」硬貨用の金額入力部２４5に「１０，０００」円入力すると、枚数入力部２２5に１０，０００円分の５００円硬貨の枚数「２０」が表示され、続けて、ユーザーが「１００円」硬貨用の金額入力部２４6に「１０，０００」円入力すると、図１１（Ａ）に示されるように、枚数入力部２２6に１０，０００円分の１００円硬貨の枚数「１００」が表示される。さらに、ユーザーが「万円」紙幣用の金額入力部２４1に「３８０，０００」円入力すると、図１１（Ｂ）に示されるように、枚数入力部２２1に３８０，０００円分の万円紙幣の枚数「３８」が表示される。最後に、ユーザーは、伝票金額表示部２６に表示されている金額と合計額表示部２５に表示されている合計額とが一致し、不足額表示部２７に表示されている不足額がゼロ円になったことを確認した後に入力操作を終了する。
【００２９】
上記の通り、本実施例の現金処理装置１によれば、キー入力部１０より金種の枚数が供給されたとき、コントローラ１６は、その金種の枚数に相当する金額を算出しこれを表示画面２０の金額表示領域２３に表示し、キー入力部１０より金額が供給されたときは、その金額に相当する金種の枚数を算出しこれを表示画面２０の枚数入力部２２に表示する。また、金種の枚数とこれに対応する金額とが表示部１１における単一画面内に表示される。したがって、ユーザーは、金種の枚数とこれに対応する金額とのいずれか一方を入力するとその他方を素早く確認することができるため、簡易な操作で効率良く現金を処理することが可能となる。
【図面の簡単な説明】
【００３０】
【図１】現金処理装置の表示画面の一例を概略的に示す図である。
【図２】本発明に係る一実施例の現金処理装置の構成を概略的に示すブロック図である。
【図３】本実施例の現金処理装置の表示部における表示画面を例示する図である。
【図４】本実施例に係る表示処理の手順を概略的に示すフローチャートである。
【図５】表示画面の一例を示す図である。
【図６】表示画面の一例を示す図である。
【図７】表示画面の一例を示す図である。
【図８】表示画面の一例を示す図である。
【図９】表示画面の一例を示す図である。
【図１０】表示画面の一例を示す図である。
【図１１】表示画面の一例を示す図である。
【符号の説明】
【００３１】
１  現金処理装置
１０  キー入力部
１１  表示部
１６  コントローラ
２０  表示画面
２１  枚数表示領域
２２1〜２２10  枚数入力部
２３  金額表示領域
２４1〜２４10  金額入力部
２５  合計額表示部
２６  伝票金額表示部
２７  不足額表示部
【図１】
2005250908.tif 000003
【図２】
2005250908.tif 000004
【図３】
2005250908.tif 000005
【図４】
2005250908.tif 000006
【図５】
2005250908.tif 000007
【図６】
2005250908.tif 000008
【図７】
2005250908.tif 000009
【図８】
2005250908.tif 000010
【図９】
2005250908.tif 000011
【図１０】
2005250908.tif 000012
【図１１】
2005250908.tif 000013